(57)【要約】【課題】分割体の合わせ部にフィニッシャーパネルを取り付けるフィニッシャーパネルの取付構造であって、合わせ部にスキや段差が発生することを解消して、フィニッシャーパネル取付部分の外観見栄えを高める。【解決手段】ドアトリム本体２０はドアトリムアッパー３０とドアトリムロア４０との分割体を接合固定して構成される。そして、フィニッシャーパネル５０の取付用開口２６のコーナー部については、ドアトリムアッパー３０とドアトリムロア４０にそれぞれ対応して取付片３２，４２が形成されており、双方の取付片３２，４２を爪係着することで、ドアトリムアッパー３０、ドアトリムロア４０の組み付け誤差、寸法誤差を吸収して、双方の取付片３２，４２に形成した位置決め孔３４，４４内にフィニッシャーパネル５０の位置規制リブ５３を差し込むことで、スキ、段差のない外観見栄えの良好なフィニッシャーパネル５０の取付構造を達成する。【選択図】図２
2006213136.tif 000002
【特許請求の範囲】
【請求項１】
分割体（３０，４０）同士を接合して内装トリム本体（２０）を構成するとともに、この内装トリム本体（２０）に取り付けるフィニッシャーパネル（５０）の取付構造であって、前記フィニッシャーパネル（５０）は、分割体（３０，４０）の合わせ部に取り付けられ、双方の分割体（３０，４０）には、相互に重ね合わされる取付片（３２，４２）が設けられ、爪の係着構造により取付片（３２，４２）が重合固定され、双方の取付片（３２，４２）に開設されている位置決め孔（３４，４４）内にフィニッシャーパネル（５０）の位置規制部材（５３）を固定することにより、分割体（３０，４０）とフィニッシャーパネル（５０）との正規の位置決めを達成した後、フィニッシャーパネル（５０）を内装トリム本体（２０）に係着固定することを特徴とするフィニッシャーパネルの取付構造。
【請求項２】
前記分割体（３０，４０）の各取付片（３２，４２）を重合した状態で係止孔（３３）内に係着した係止爪（４３）を相手側の分割体（３０）に対して溶着固定することにより、分割体（３０，４０）同士を接合固定したことを特徴とする請求項１に記載のフィニッシャーパネルの取付構造。
【発明の詳細な説明】
【技術分野】
【０００１】
本発明は、分割体同士の合わせ部に取り付けられるフィニッシャーパネルの取付構造に係り、特に、分割体の組み付け誤差、寸法誤差等が内在しても、合わせ部にスキ等が発生することがない外観見栄えに優れたフィニッシャーパネルの取付構造に関する。
【背景技術】
【０００２】
図５は車両の左側ドアパネルの室内面側に取り付けられるドアトリム１を示すもので、このドアトリム１は、ドアトリム本体２に各種機能部品が取り付けられている。ドアトリム本体２は、ドアトリムアッパー３とドアトリムロア４とを接合して構成され、図６に示すように、このドアトリムアッパー３とドアトリムロア４との合わせ部にフィニッシャーパネル５が取り付けられている。上記ドアトリムアッパー３とドアトリムロア４とは、一方側に溶着用ボスを立設し、他方側にボス挿入孔を開設しておき、溶着用ボスをボス挿入孔に挿通させた後、ボス先端に超音波溶着加工を施すことにより両者が固定される。更に、フィニッシャーパネル５の一方端に形成した係止用フック５ａを取付用開口６の縁部６ａに係止するとともに、ドアトリムアッパー３については、リブ挿入孔３ａ内にフィニッシャーパネル５の位置規制リブ５ｂを挿入することで、フィニッシャーパネル５をそれぞれドアトリムアッパー３、ドアトリムロア４に個別に係着しているのが実情である。このフィニッシャーパネル５の構成並びに取付構造については、例えば、特許文献１に詳細に記載されている。
【０００３】
【特許文献１】特開平１１−２２７４６０号公報
【発明の開示】
【発明が解決しようとする課題】
【０００４】
このように、従来のフィニッシャーパネル５の取付構造においては、フィニッシャーパネル５の係止用フック５ａをドアトリムロア４の開口縁部６ａに係着する一方、フィニッシャーパネル５の位置規制リブ５ｂをドアトリムアッパー３のリブ挿入孔３ａ内に挿入するという構成を採用している。例えば、図６中ａで示すドアトリムアッパー３とドアトリムロア４との合わせ部が、基本的にドアトリムアッパー３とドアトリムロア４との接合固定ポイントから離れているため、ドアトリムアッパー３とドアトリムロア４の組み付けバラツキにより、図６中Ｘ方向（車幅方向）にスキが発生し易く、外観見栄えの低下を招くという不具合があるとともに、ドアトリムロア４に図７に示すように矢印方向に反り変形が生じ易く、そのため、フィニッシャーパネル５が上方に持ち上げられてフィニッシャーパネル５とドアトリム１の製品面との間に段差が生じ、見栄えの低下を招くという不具合が指摘されている。
【０００５】
この発明は、このような事情に鑑みてなされたもので、ドアトリムアッパーとドアトリムロアのように、分割体同士の合わせ部に取り付けるフィニッシャーパネルの取付構造であって、分割体に組み付け誤差や寸法誤差等が内在しても、合わせ部にスキや変形が発生することがない外観見栄えの優れたフィニッシャーパネルの取付構造を提供することを目的とする。
【課題を解決するための手段】
【０００６】
上記課題を達成するために、本発明は、分割体同士を接合して内装トリム本体を構成するとともに、この内装トリム本体に取り付けるフィニッシャーパネルの取付構造であって、前記フィニッシャーパネルは、分割体の合わせ部に取り付けられ、双方の分割体には、相互に重ね合わされる取付片が設けられ、爪の係着構造により取付片が重合固定され、双方の取付片に開設されている位置決め孔内にフィニッシャーパネルの位置規制部材を固定することにより、分割体とフィニッシャーパネルとの正規の位置決めを達成した後、フィニッシャーパネルを内装トリム本体に係着固定することを特徴とする。
【０００７】
ここで、内装トリム本体を構成する分割体としては、ドアトリムアッパーとドアトリムロアとの分割体から構成されるドアトリム本体の他に、トリムアッパーとトリムロアとの分割体を接合して構成されるリヤサイドトリム、ラゲージサイドトリム等が該当する。また、フィニッシャーパネルとしては、パワーウインドウスイッチ、ドアロックスイッチ等のスイッチ機構や操作ボタン等を収容したフィニッシャーパネルや、プルハンドルを備えたフィニッシャーパネル等が考えられる。
【０００８】
また、分割体は、熱可塑性樹脂の射出成形体、モールドプレス成形体等から構成され、フィニッシャーパネルは、熱可塑性樹脂の射出成形体から構成される。ここで、分割体同士の取付片を重ね合わせ、双方の取付片を固定する手段としては、一方側の取付片に係止爪、他方側の取付片に係止孔を開設し、係止爪を係止孔内に係着することで、係止爪の挿入方向に沿う位置規制と係止爪の幅方向に沿う位置規制が行なえ、かつ取付片を重ね合わせた状態で固定することで、上下方向の位置規制が行なえることから、取付片同士を介した分割体の合わせ部においては、前後方向、左右方向、上下方向の３方向の位置決めがなされることになる。そして、３方向の位置規制を行なった状態で、更に、フィニッシャーパネルの位置規制部材を取付片の位置決め孔内に固定することで、相互に接合された分割体に対するフィニッシャーパネルの精度の良い取り付けを達成することができる。ここで、位置規制部材としては、リブ、ボス、爪（門型爪等）等、任意に設定して良く、形状は限定されない。
【０００９】
従って、上記構成によれば、分割体の組み付け誤差、寸法誤差等が内在しても、両分割体の取付片同士を爪係合することで、分割体同士の精度の良い合わせを達成することができ、かつ双方の取付片に形成した位置決め孔にフィニッシャーパネルの位置規制部材を固定することで、２つの分割体とフィニッシャーパネルの３部品に係る合わせ精度のチューニングを容易に行なえ、合わせ部にスキ、変形による段差が生じることがなく、フィニッシャーパネル取付部分の外観見栄えを高めることができる。
【００１０】
次いで、本発明の好ましい実施の形態においては、前記分割体の各取付片を重合した状態で係止孔内に係着した係止爪を相手側の分割体に対して溶着固定することにより、分割体同士を接合固定したことを特徴とする。そして、この実施の形態によれば、分割体同士の取付片を重ね合わせた状態で一方側の係止爪を他方側の分割体に対して超音波溶着等により固定するという構成であるため、より一層強固な固定構造を達成でき、外力が加わった際に合わせ部にガタツキ等が生じることが皆無となり、堅固な取付強度を保証できる。
【発明の効果】
【００１１】
以上説明した通り、本発明に係るフィニッシャーパネルの取付構造によれば、フィニッシャーパネルの取付部を構成する分割体の合わせ部においては、分割体にそれぞれ取付片を対応して形成しておき、一方側の取付片に係止爪、他方側の取付片に係止孔を開設し、係止爪の係着構造により、取付片同士の固着を行なえば、前後方向、左右方向、上下方向の位置規制が達成されるという構成が採用されている。従って、分割体の組み付け誤差、寸法誤差等があっても、取付片を取付基準として両者を合わせれば、スキが発生することがなく、かつ変形による段差が生じることがないため、フィニッシャーパネルの周縁にスキが発生したり、フィニッシャーパネルの製品面と内装部品の製品面との間に段差が生じることがなく、美麗な外観見栄えを確保できるという効果を有する。
【発明を実施するための最良の形態】
【００１２】
以下、本発明に係るフィニッシャーパネルの取付構造について、ドアトリムにおけるスイッチフィニッシャーパネルの取付構造の実施例について、添付図面を参照しながら詳細に説明する。
【実施例】
【００１３】
図１乃至図４は本発明の一実施例を示すもので、図１は本発明に係るフィニッシャーパネルの取付構造を採用したドアトリムを示す外観図、図２は図１に示すドアトリムにおけるフィニッシャーパネルを取り付けるドアトリム本体の合わせ部の構成を示す説明図、図３はドアトリム本体の合わせ部に対するフィニッシャーパネルの取付構造を示す概要図、図４はフィニッシャーパネルの取付構造の変形例を示す説明図である。
【００１４】
図１において、自動車用ドアトリム１０は、車両の左側ドアパネル（図示せず）の室内面側に取り付けられるもので、この自動車用ドアトリム１０は、ドアトリム本体２０に各種機能部品を装着して構成されている。上記ドアトリム本体２０は、ドアトリムアッパー３０とドアトリムロア４０の上下２分割体から構成されており、ドアトリムアッパー３０とドアトリムロア４０との外観上のアクセント効果により、意匠効果の向上が図られている。更に、ドアトリム本体２０におけるドアトリムロア４０の上縁近傍に形成されている室内側に向く膨出部２１のフロント側上面にフィニッシャーパネル５０が取り付けられており、膨出部２１のリヤ側上面にはアームレスト２２が取り付けられている。そして、フィニッシャーパネル５０とアームレスト２２との間にドアグリップ２３が設けられている。また、ドアトリムロア４０の下側には備品を収容できるドアポケット２４が設定されており、このドアポケット２４のフロント側には、スピーカグリル２５がドアトリムロア４０と一体、あるいは別体に設けられている。
【００１５】
ところで、フィニッシャーパネル５０は、この実施例ではパワーウインドウスイッチ、ドアロックスイッチ等のスイッチ機構やスイッチ操作部を備えており、本発明では、これらフィニッシャーパネル５０をドアトリム本体２０に取り付ける取付構造に特徴がある。特に、ドアトリムアッパー３０とドアトリムロア４０の合わせ部にフィニッシャーパネル５０を取り付ける際、取付部分の見栄えを体裁良く仕上げることができる。
【００１６】
すなわち、そのための構成として、ドアトリムアッパー３０とドアトリムロア４０の合わせ部付近の構成について図２を基に詳細に説明する。ドアトリムアッパー３０とドアトリムロア４０は、いずれも熱可塑性樹脂、例えば、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等からなる素材をモールドプレス成形工法、射出成形工法により、所望の曲面形状に型内成形されており、ドアトリムロア４０の内面にパネル側に先端が向く溶着用ボス４１が突設形成されており、この溶着用ボス４１に対応するように、ドアトリムアッパー３０にはボス挿入孔３１が形成されており、ドアトリムアッパー３０とドアトリムロア４０とを所定位置に位置決めした状態で、この溶着用ボス４１がボス挿入孔３１内に挿通し、溶着用ボス４１の先端を超音波溶着等によりカシメ加工することにより、ドアトリムアッパー３０とドアトリムロア４０とが接合一体化される。
【００１７】
そして、その際、本発明においては、フィニッシャーパネル５０の取付部において、以下の構造が採用されている。すなわち、フィニッシャーパネル５０の取付用開口２６がドアトリムアッパー３０とドアトリムロア４０を接合する際に形成され、この取付用開口２６のコーナーに位置するドアトリムアッパー３０及びドアトリムロア４０にそれぞれ取付片３２，４２が突設形成されている。また、ドアトリムロア４０の取付片４２については、ドアトリムアッパー３０の取付片３２のコーナー部３２ａに合致するフランジ４２ａを形成し、この取付片４２の一方端縁（ドアトリムアッパーに対向する縁部）に係止爪４３を突設するとともに、取付片４２のほぼ全面に亘り矩形状の位置決め孔４４が開設されている。一方、ドアトリムアッパー３０における取付片３２についても、上記ドアトリムロア４０の係止爪４３と係着するための幅をもつ係止孔３３が開設されているとともに、上記ドアトリムロア４０の位置決め孔４４とほぼ同一寸法の位置決め孔３４が開設されている。
【００１８】
従って、ドアトリムアッパー３０とドアトリムロア４０とを正規位置に突き合わせ、ドアトリムロア４０の取付片４２に設けた係止爪４３をドアトリムアッパー３０における取付片３２に開設した係止孔３３内に嵌め入れれば、ドアトリムロア４０の取付片４２のフランジ４２ａがドアトリムアッパー３０における取付片３２のコーナー部３２ａに突き当たり、かつ係止爪４３が係着する関係で、図２中Ｙ方向の位置規制がなされるとともに、係止孔３３の幅内に係止爪４３が係着しているため、図２中Ｘ方向の位置規制がなされ、更に、ドアトリムアッパー３０の取付片３２の上面にドアトリムロア４０の取付片４２が重ね合わされることで、Ｚ方向の位置規制がなされることになり、ドアトリムアッパー３０とドアトリムロア４０における取付用開口２６の合わせ部においては、前後方向、左右方向、上下方向の３方向の位置規制が確実に行なわれた状態でドアトリムアッパー３０とドアトリムロア４０とを固定することができる。
【００１９】
次いで、図３に示すように、ドアトリムアッパー３０とドアトリムロア４０とを係着した状態で、フィニッシャーパネル５０を取り付けるが、このフィニッシャーパネル５０は、上述したように、パワーウインドウスイッチ等の各種スイッチボタンを露出させるためのスイッチボタン露出用開口５１が開設されており、端縁部分に係止用フック５２が形成されているとともに、ドアトリム本体２０における取付用開口２６のコーナー部に対応する位置には、位置規制リブ５３が下方向に向け突設形成されている。そして、フィニッシャーパネル５０の係止用フック５２を取付用開口２６の縁部２６ａに係止するとともに、位置規制リブ５３をドアトリムアッパー３０及びドアトリムロア４０の双方に形成されている取付片３２，４２の位置決め孔３４，４４内に収容固定することで、従来２部材のそれぞれに位置決めしていた構造に比べ、この位置規制リブ５３単体によりドアトリムアッパー３０とドアトリムロア４０の２部材に対して一括して位置決めすることができる。
【００２０】
従って、組み付け誤差、寸法誤差等がドアトリムアッパー３０、ドアトリムロア４０に内在しても、ドアトリムアッパー３０とドアトリムロア４０の双方の取付片３２，４２を爪係止構造により固着した後、双方の位置決め孔３４，４４内にフィニッシャーパネル５０の位置規制リブ５３を嵌め込むことで、簡単に位置規制を行なうことができ、フィニッシャーパネル５０の周囲にスキが発生したり、段差が生じたりすることがなく、美麗な製品外観を長期に亘り維持することができる。尚、位置規制リブ５３に替えて、ボスや門型爪を位置決め孔３４，４４内に固定しても良い。
【００２１】
また、図４に示すように、ドアトリムロア４０における係止爪４３をドアトリムアッパー３０における係止孔３３内に係着した状態で、図４中Ａで示す部分に超音波溶着加工を施して、係止爪４３をドアトリムアッパー３０に対して溶着固定すれば、フィニッシャーパネル５０の取付用開口２６のコーナー部分において、ドアトリムアッパー３０とドアトリムロア４０とのより強固な固定を達成することができ、外力が加わっても、ガタツキ等が生じることがない。
【産業上の利用可能性】
【００２２】
実施例ではドアトリムアッパー３０とドアトリムロア４０の各取付片３２，４２の係着構造において、ドアトリムロア４０に係止爪４３を形成し、相手側であるドアトリムアッパー３０に係止孔３３を開設したが、係止爪４３をドアトリムアッパー３０側に形成し、ドアトリムロア４０側に係止孔を開設する構成を採用することもできる。
【００２３】
更に、フィニッシャーパネル５０を取り付ける対象として、分割構成であれば、ドアトリム１０以外にも、リヤサイドトリム、ラゲージサイドトリム等に適用することができる。また、フィニッシャーパネル５０としては、パワーウインドウスイッチ等、各種スイッチ部材を収容したフィニッシャーパネル５０の他に、プルハンドル等の機能部品を組み付けたフィニッシャーパネル５０を採用することもできる。
【図面の簡単な説明】
【００２４】
【図１】本発明に係るフィニッシャーパネルの取付構造を採用した自動車用ドアトリムの一実施例を示す外観図である。
【図２】本発明に係るフィニッシャーパネルの取付構造の一実施例を示すドアトリムアッパーとドアトリムロアとの合わせ部の構成を示す説明図である。
【図３】図２に示すドアトリムアッパーとドアトリムロアの合わせ部にフィニッシャーパネルを取り付ける要領を示す説明図である。
【図４】本発明に係るフィニッシャーパネルの取付構造の変形例を示すもので、ドアトリムアッパーとドアトリムロアとの合わせ部を示す説明図である。
【図５】フィニッシャーパネルを取り付けた従来の自動車用ドアトリムを示す外観図である。
【図６】従来のフィニッシャーパネルの取付構造を示す説明図である。
【図７】従来のフィニッシャーパネルの取付部分の不具合を示す説明図である。
【符号の説明】
【００２５】
１０  自動車用ドアトリム
２０  ドアトリム本体
２６  取付用開口
３０  ドアトリムアッパー
３１  ボス挿入孔
３２  取付片
３２ａ  コーナー部
３３  係止孔
３４  位置決め孔
４０  ドアトリムロア
４１  溶着用ボス
４２  取付片
４２ａ  フランジ
４３  係止爪
４４  位置決め孔
５０  フィニッシャーパネル
５１  スイッチボタン露出用開口
５２  係止用フック
５３  位置規制リブ
Ａ  爪溶着固定部
【図１】
2006213136.tif 000003
【図２】
2006213136.tif 000004
【図３】
2006213136.tif 000005
【図４】
2006213136.tif 000006
【図５】
2006213136.tif 000007
【図６】
2006213136.tif 000008
【図７】
2006213136.tif 000009